(57)【要約】【課題】清掃やメンテナンスの作業性を向上させること。【解決手段】実施形態に係る作業車両は、走行車体２に設けられ、ホッパ６１に貯留された肥料を圃場に散布する施肥装置６０を備える。施肥装置６０は、複数の排出口６５と、切替部材６７と、案内部６６とを備える。排出口６５は、ホッパ６１の下方に設けられ、ホッパ６１内の肥料を排出する。切替部材６７は、ホッパ６１から排出口６５へ向けて肥料が落下するように経路を切り替える。案内部６６は、排出口６５に設けられ、排出口６５から排出される肥料を施肥装置６０の外部に案内する。【選択図】図２Ａ
2018068144.tif 000002
【特許請求の範囲】
【請求項１】
圃場を走行可能な走行車体に設けられ、ホッパに貯留された肥料を圃場に散布する施肥装置を備え、
前記施肥装置は、
前記ホッパの下方に設けられ、該ホッパ内の肥料を排出する開閉可能な複数の排出口と、
前記ホッパから前記複数の排出口へ向けて肥料が落下するように経路を切り替える切替部材と、
前記複数の排出口に設けられ、前記複数の排出口から排出される肥料を当該施肥装置の外部に案内する案内部と
を備えることを特徴とする作業車両。
【請求項２】
前記案内部は、
前記複数の排出口から排出される肥料を集約しつつ前記施肥装置の外部に案内すること
を特徴とする請求項１に記載の作業車両。
【請求項３】
前記複数の排出口の外側に設けられ、該複数の排出口から排出される肥料を収容する袋を保持する保持部と、
前記案内部を収納する収納部と
をさらに備え、
前記案内部は、
前記複数の排出口の並び方向にスライド移動可能に設けられるとともに、前記収納部に所定の収納位置で収納されること
を特徴とする請求項１または２に記載の作業車両。
【請求項４】
前記走行車体に設けられ、圃場に苗を植え付ける植付部と、
前記ホッパ内に設けられ、該ホッパ内の湿度を検知する湿度センサと、
前記施肥装置から圃場内に散布する肥料を案内する施肥ホースの内部に設けられ、該施肥ホースを温める熱線と、
前記湿度センサの検知結果に基づいて前記熱線の温度を制御する制御部と
をさらに備え、
前記制御部は、
前記湿度センサによって前記ホッパ内の湿度が規定湿度以上であることが検知されると、前記熱線の温度を上昇させる制御を行うこと
を特徴とする請求項１から３のいずれか１項に記載の作業車両。
【請求項５】
前記走行車体に設けられ、圃場内の水の有無を検知する超音波センサと、
前記走行車体の車輪に設けられ、圃場内の水の有無を検知する通電センサと、
前記走行車体に昇降可能に設けられた前記植付部による植え付け感度を調整する植付感度調整機構と、
前記走行車体に昇降可能に設けられ、圃場を整地する整地部と、
前記超音波センサおよび前記通電センサの検知結果に基づいて前記植付感度調整機構、前記整地部および前記植付部を制御する制御部と
をさらに備え、
前記制御部は、
前記超音波センサおよび前記通電センサによって圃場内に水が無いことが検知されると、前記植付感度調整機構の植え付け感度を鈍くする制御、前記整地部を下降する制御、前記植付部を下降する制御のうち少なくとも１つの制御を行うこと
を特徴とする請求項４に記載の作業車両。
【請求項６】
前記施肥装置が各種施肥条件を設定可能な可変施肥機能を有する場合に、
前記施肥装置における各種施肥条件の設定を操作する情報処理端末と、
前記走行車体に設けられ、前記情報処理端末とは別に前記施肥装置における各種施肥条件の設定を操作する操作部と
をさらに備えること
を特徴とする請求項１から５のいずれか１項に記載の作業車両。
【発明の詳細な説明】
【技術分野】
【０００１】
本発明は、作業車両に関する。
【背景技術】
【０００２】
例えば、苗の植え付け作業を行う苗移植機などの作業車両は、圃場内に肥料を散布する施肥装置を備えている。従来、かかる施肥装置は、肥料を貯留するホッパを有し、さらに、作業後のホッパ内の残留肥料を排出するために、ホッパの下方に複数の排出口を備えている場合がある（例えば、特許文献１参照）。
【先行技術文献】
【特許文献】
【０００３】
【特許文献１】特開２００６−３２５４１８号公報
【発明の概要】
【発明が解決しようとする課題】
【０００４】
しかしながら、上記したような従来の作業車両では、清掃やメンテナンスなどの作業時において、ホッパ内に残った肥料を排出するためには複数の排出口の１つ１つから肥料を排出する必要があり、作業性が低いという問題があった。
【０００５】
本発明は、上記に鑑みてなされたものであって、清掃やメンテナンスの作業性を向上させることができる作業車両を提供することを目的とする。
【課題を解決するための手段】
【０００６】
上述した課題を解決し、目的を達成するために、請求項１に記載の作業車両（１）は、圃場を走行可能な走行車体（２）に設けられ、ホッパ（６１）に貯留された肥料を圃場に散布する施肥装置（６０）を備え、前記施肥装置（６０）は、前記ホッパ（６１）の下方に設けられ、該ホッパ（６１）内の肥料を排出する開閉可能な複数の排出口（６５）と、前記ホッパ（６１）から前記複数の排出口（６５）へ向けて肥料が落下するように経路を切り替える切替部材（６７）と、前記複数の排出口（６５）に設けられ、前記複数の排出口（６５）から排出される肥料を当該施肥装置（６０）の外部に案内する案内部（６６）とを備えることを特徴とする。
【０００７】
請求項２に記載の作業車両（１）は、請求項１に記載の作業車両（１）において、前記案内部（６６）は、前記複数の排出口（６５）から排出される肥料を集約しつつ前記施肥装置（６０）の外部に案内することを特徴とする。
【０００８】
請求項３に記載の作業車両（１）は、請求項１または２に記載の作業車両（１）において、前記複数の排出口（６５）の外側に設けられ、該複数の排出口（６５）から排出される肥料を収容する袋を保持する保持部（６６６）と、前記案内部（６６）を収納する収納部（６８）とをさらに備え、前記案内部（６６）は、前記複数の排出口（６５）の並び方向にスライド移動可能に設けられるとともに、前記収納部（６８）に所定の収納位置で収納されることを特徴とする。
【０００９】
請求項４に記載の作業車両（１）は、請求項１から３のいずれか１項に記載の作業車両（１）において、前記走行車体（２）に設けられ、圃場に苗を植え付ける植付部（３０）と、前記ホッパ（６１）内に設けられ、該ホッパ（６１）内の湿度を検知する湿度センサ（１２０）と、前記施肥装置（６０）から圃場内に散布する肥料を案内する施肥ホース（９０）の内部に設けられ、該施肥ホース（９０）を温める熱線（９１）と、前記湿度センサ（１２０）の検知結果に基づいて前記熱線（９１）を制御する制御部（１００ａ）とをさらに備え、前記制御部（１００ａ）は、前記湿度センサ（１２０）によって前記ホッパ（６１）内の湿度が規定湿度以上であることが検知されると、前記熱線（９１）の温度を上昇させる制御を行うことを特徴とする。
【００１０】
請求項５に記載の作業車両（１）は、請求項４に記載の作業車両（１）において、前記走行車体（２）に設けられ、圃場内の水の有無を検知する超音波センサ（１２２）と、前記走行車体（２）の車輪（３）に設けられ、圃場内の水の有無を検知する通電センサ（１２３）と、前記走行車体（２）に昇降可能に設けられた前記植付部（３０）による植え付け感度を調整する植付感度調整機構（８３）と、前記走行車体（２）に昇降可能に設けられ、圃場を整地する整地部（５０）と、前記超音波センサ（１２２）および前記通電センサ（１２３）の検知結果に基づいて前記植付感度調整機構（８３）、前記整地部（５０）および前記植付部（３０）を制御する制御部（１００ａ）とをさらに備え、前記制御部（１００ａ）は、前記超音波センサ（１２２）および前記通電センサ（１２３）によって圃場内に水が無いことが検知されると、前記植付感度調整機構（８３）の植え付け感度を鈍くする制御、前記整地部（５０）を下降する制御、前記植付部（３０）を下降する制御のうち少なくとも１つの制御を行うことを特徴とする。
【００１１】
請求項６に記載の作業車両（１）は、請求項１から５のいずれか１項に記載の作業車両（１）において、前記施肥装置（６０）が各種施肥条件を設定可能な可変施肥機能を有する場合に、前記施肥装置（６０）における各種施肥条件の設定を操作する情報処理端末（１１０）と、前記走行車体（２）に設けられ、前記情報処理端末（１１０）とは別に前記施肥装置（６０）における各種施肥条件の設定を操作する操作部（１１１）とをさらに備えることを特徴とする。
【発明の効果】
【００１２】
請求項１に記載の発明によれば、肥料の排出口に案内部を設けることで、ホッパ内に残った肥料を外部に排出する場合に肥料が散らばるのを防止することができる。これにより、清掃やメンテナンスの作業性を向上させることができる。また、ブロアなどの送風手段を設けない安価な機体においても、清掃やメンテナンスの作業性を向上させることができる。
【００１３】
請求項２に記載の発明によれば、請求項１に記載の発明の効果に加えて、肥料の案内部が複数の排出口から排出される肥料を集約することで、ホッパ内に残った肥料を効率良く排出することができる。これにより、清掃やメンテナンスの作業性を向上させることができる。
【００１４】
請求項３に記載の発明によれば、請求項１または２に記載の発明の効果に加えて、肥料の案内部を排出口に取り付ける作業を容易に行うことができる。また、肥料の案内部を収納可能とすることで、圃場における作業中に案内部に水などが付着して肥料の排出時に肥料が詰まるなどの不具合を防止することができる。また、肥料を収容する袋を保持部によって保持することで、清掃やメンテナンスの作業性を向上させることができるとともに、例えば、袋が自重で落ち切らない肥料を手作業で排出口から掻き出す場合に受皿の役割を果たすようになり、清掃やメンテナンスの作業性をさらに向上させることができる。
【００１５】
請求項４に記載の発明によれば、請求項１から３のいずれか１項に記載の発明の効果に加えて、ホッパ内の湿度が規定値以上の場合には何らかの影響で肥料が濡れていることが考えられるため、肥料が施肥ホースの内部で詰まるおそれがあるが、施肥ホースを温めることで、かかる肥料詰まりを防止することができる。これにより、施肥作業性を向上させることができる。
【００１６】
請求項５に記載の発明によれば、請求項４に記載の発明の効果に加えて、圃場内に水が無い場合に、植付感度調整機構の植え付け感度を鈍くすることで、苗の植付性を向上させることができる。また、圃場内に水が無い場合に、整地部を下降することで、圃場内に水が入っても植え付けた苗を浮き上がりにくくすることができる。また、圃場内に水が無い場合に、植付部を下降することで、圃場内に水が入っても植え付けた苗を浮き上がりにくくすることができる。
【００１７】
請求項６に記載の発明によれば、請求項１から５のいずれか１項に記載の発明の効果に加えて、情報処理端末（例えば、タブレット端末）の故障時などのように各種施肥条件の設定が不能となった場合に、機体側の操作によって施肥作業を継続することができる。
【図面の簡単な説明】
【００１８】
【図１Ａ】図１Ａは、作業車両の概略左側面図である。
【図１Ｂ】図１Ｂは、作業車両の概略平面図である。
【図２Ａ】図２Ａは、肥料の案内部の説明図（その１）である。
【図２Ｂ】図２Ｂは、肥料の案内部の説明図（その２）である。
【図３】図３は、肥料の案内部の変形例１の説明図である。
【図４】図４は、肥料の案内部の変形例２の説明図である。
【図５】図５は、肥料の案内部の変形例３の説明図である。
【図６】図６は、制御部のブロック図である。
【図７】図７は、施肥ホースの説明図である。
【図８】図８は、熱線の温度上昇処理手順の一例を示すフローチャートである。
【図９】図９は、作業設定変更処理手順の一例を示すフローチャートである。
【発明を実施するための形態】
【００１９】
以下、添付図面を参照して本願の開示する作業車両の実施形態を詳細に説明する。なお、以下に示す実施形態によりこの発明が限定されるものではない。
【００２０】
まず、図１Ａおよび図１Ｂを参照して実施形態に係る作業車両１の全体構成について説明する。図１Ａは、作業車両１の概略左側面図である。図１Ｂは、作業車両１の概略平面図である。なお、以下では、作業車両１として、圃場内を走行しながら、圃場に苗を植え付ける苗移植機を例に説明する。
【００２１】
また、以下の説明において、前後方向とは、作業車両、すなわち、苗移植機１の直進時における進行方向であり、進行方向前方側を「前」、後方側を「後」と規定している。なお、機体（苗移植機１）の進行方向とは、直進時において、操縦席１１からステアリングハンドル７３へ向かう方向である（図１Ａ参照）。
【００２２】
また、左右方向とは、前後方向に対して水平に直交する方向である。以下では、「前」側へ向けて左右を規定している。すなわち、作業者（操縦者ともいう）が操縦席１１に着席して前方を向いた状態で、左手側が「左」、右手側が「右」である。また、上下方向とは、鉛直方向である。前後方向、左右方向および上下方向は、互いに直交している。
【００２３】
図１Ａおよび図１Ｂに示すように、苗移植機１は、圃場を走行可能な走行車体２を備えている。走行車体２は、左右一対の前輪３と、左右一対の後輪４とを備えている。なお、走行車体２は、例えば、走行時に、前輪３および後輪４が駆動する四輪駆動となる。また、走行車体２の後部には、苗植付部昇降機構２０によって昇降可能な植付部（以下、苗植付部という）３０が設けられている。
【００２４】
走行車体２は、メインフレーム５と、メインフレーム５上に搭載されたエンジン６と、エンジン６で発生した動力を駆動輪（本実施形態では、前輪３および後輪４）と苗植付部３０とに伝達する動力伝達装置７とを備えている。すなわち、本実施形態では、動力源であるエンジン６で発生した動力は、走行車体２を前進または後進させるために使用されるのみでなく、苗植付部３０を駆動させるためにも使用される。
【００２５】
エンジン６は、左右方向における走行車体２の略中央で、作業者が乗車時に足を載せるフロアステップ８よりも上方に突出している。エンジン６としては、例えば、ディーゼル機関やガソリン機関などの熱機関が用いられる。フロアステップ８は、前後方向において、走行車体２の前部に設けられている。本実施形態におけるフロアステップ８は、走行車体２の前端とエンジン６の後部との間にわたって設けられている。
【００２６】
フロアステップ８は、メインフレーム５上に取り付けられている。フロアステップ８のうち、後述する操縦席１１付近の少なくとも一部は、作業者の靴に付着した泥などを圃場に落とせるように、上下方向視において格子状に形成されている。フロアステップ８の後部には、後輪４のフェンダを兼ねるリヤステップ９が設けられている。
【００２７】
リヤステップ９は、機体の前側から後側に向かうにつれて上方へ向けて上昇する傾斜面（後上がり傾斜面）を有している。リヤステップ９は、左右方向において、エンジン６を挟むように、エンジン６の両側方に配置されている。エンジン６は、エンジンカバー１０によって覆われている。エンジンカバー１０の上方には操縦席１１が設けられている。
【００２８】
動力伝達装置７は、エンジン６から動力が伝達されるベルト式動力伝達装置１２と、エンジン６からベルト式動力伝達装置１２を介して伝達される動力を変速する変速装置である油圧式無段変速機１３と、ミッションケース１４とを備えている。
【００２９】
油圧式無段変速機１３は、ＨＳＴ（Hydro  Static  Transmission）といわれる静油圧式の無段変速装置として構成されている。油圧式無段変速機１３は、後述する主変速操作部材７４が作業者によって操作されることで、出力（回転速度）および出力方向（回転方向）を変更可能である。すなわち、油圧式無段変速機１３は、回転速度や回転方向を変更することで、走行車体２の前後進や走行速度を変更可能である。
【００３０】
ミッションケース１４は、油圧式無段変速機１３によって変速されたエンジン６からの動力を各部へ伝達する伝動装置を備えている。また、ミッションケース１４は、走行時や作業時における走行速度を切り替える副変速機構（図示省略）を備えている。副変速レバー（図示省略）が作業者に操作されると、走行車体２の走行速度を、例えば、植付作業時の走行速度よりも高速な走行速度、植付作業時における苗植付速度などに切り替え可能である。
【００３１】
前輪ファイナルケース１５には、後述するステアリングハンドル７３の操作に応じて前輪３を操舵可能に、前輪３が連結されている。後輪ギヤケース１６には、後輪４が連結されている。
【００３２】
苗植付部昇降機構２０は、昇降リンク２１を備えている。昇降リンク２１は、走行車体２の後部と苗植付部３０とを連結させる平行リンク機構２２を備えている。平行リンク機構２２は、リンクフレームベース２３および苗植付部３０のそれぞれに対して、上下方向に回動自在に連結されることで、走行車体２に対して苗植付部３０を昇降可能である。
【００３３】
また、苗植付部昇降機構２０は、油圧昇降シリンダ２４を備えている。油圧昇降シリンダ２４は、油圧バルブ（図示省略）が切り替えられることで伸縮動作して昇降リンク２１を駆動して、苗植付部３０を昇降させる。油圧昇降シリンダ２４は、後述する植付操作部材７５が作業者によって操作されることで、苗植付部３０を上昇させた非作業位置、苗植付部３０を下降させた対地作業位置（対地植付位置）に切り替える。また、油圧昇降シリンダ２４は、圃場の状況に関する情報に基づいて苗植付部３０を昇降させる。
【００３４】
苗植付部３０は、昇降リンク２１を介して走行車体２に取り付けられている。苗植付部３０は、複数の区画、あるいは複数の列で苗を植え付けることが可能である。本実施形態における苗植付部３０は、苗を４つの区画で植え付ける、いわゆる４条植えである。苗植付部３０は、苗載置台３１と、フロート３２と、苗植付装置４０とを備えている。
【００３５】
苗載置台３１は、左右方向において、植付条数分の苗載せ面３１ａを有している。それぞれの苗載せ面３１ａは、上下方向に複数枚の土付きマット状苗を載置可能な後下がり傾斜面である。フロート３２は、走行車体２の移動に伴って、圃場上を滑走して整地する。フロート３２は、左右方向において、機体中央側に位置するセンターフロート３２ａと、センターフロート３２ａを挟んで外側に位置するサイドフロート３２ｂとを備えている。
【００３６】
各フロート３２ａ，３２ｂは、圃場の表土面の凹凸に応じて前端側が上下動するように、走行車体２に回動自在に取り付けられている。苗植付装置４０は、センターフロート３２ａの上下動を検知する迎角制御用の回動センサ（図示省略）を備えている。苗植付装置４０では、植付作業時にはセンターフロート３２ａの前部の上下動が回動センサによって検知され、回動センサの検知結果に応じて制御部である制御装置１００を構成する制御部（コントローラ）１００ａ（図６参照）によって油圧昇降シリンダ２４の伸縮動作を制御する油圧バルブを切り替えて苗植付部３０を昇降させ、苗の植え付け深さを調節することができる。
【００３７】
苗植付装置４０は、苗載置台３１の植付支持フレーム３３によって支持され、苗載置台３１の下方に配置されている。苗植付装置４０は、苗載置台３１に載置された苗をとって圃場に植え付ける装置である。苗植付装置４０は、植込杆４１と、ロータリーケース４２と、植付伝動ケース４３とを備えている。
【００３８】
植込杆４１は、苗載置台３１から苗をとって圃場に植え付けることができるように構成されている。植込杆４１は、植付伝動ケース４３に対して回転可能に連結されている。ロータリーケース４２は、植込杆４１を回転可能に支持するとともに、植付伝動ケース４３に対して回転可能に連結されている。
【００３９】
また、ロータリーケース４２は、植込杆４１の回転速度を変化させながら、植込杆４１を回転させることが可能な不等速伝動機構（図示省略）を有している。これにより、ロータリーケース４２は、ロータリーケース４２に対する植込杆４１の回転角度によって、植込杆４１の回転速度を変化させながら回転させることができる。植付伝動ケース４３は、エンジン６から苗植付部３０に伝達された動力を、植込杆４１に伝達可能に構成されている。
【００４０】
整地部（以下、整地ロータという）５０は、圃場を整地するものである。整地ロータ５０は、苗植付装置４０の下方に設けられている。整地ロータ５０は、植付支持フレーム３３などに対して、電動モータ８４（図６参照）などによって昇降自在に支持されている。整地ロータ５０は、左右方向において、機体の中央側に位置するセンターロータ５１と、センターロータ５１よりも機体の後側かつ外側に位置するサイドロータ５２と、電動機構５３とを備えている。
【００４１】
センターロータ５１、およびサイドロータ５２は、センターフロート３２ａおよびサイドフロート３２ｂよりも機体前側に配置されている。センターロータ５１は、電動機構５３と、後輪ギヤケース１６に連結された伝動軸５４とを介して伝達されるエンジン６からの動力によって回転駆動する。サイドロータ５２は、伝動軸５４を介して伝達されるエンジン６からの動力によって回転駆動する。
【００４２】
施肥装置６０は、圃場に肥料を施すものである。施肥装置６０は、操縦席１１の機体後側に設けられている。施肥装置６０は、ホッパ（貯留ホッパ）６１に貯留されている粒状の肥料を、植付作業中に設定量ずつ圃場に放出可能である。施肥装置６０は、コントローラ１００ａに接続される可変施肥機構８０（図６参照）を構成する施肥量調節モータ（図示省略）を備え、肥料の散布量である施肥量を調整することができる。
【００４３】
また、施肥装置６０は、貯留ホッパ６１内の肥料を繰り出す肥料繰出口６２（図２Ａおよび図２Ｂ参照）の他、例えば、清掃やメンテナンスの作業時に貯留ホッパ６１内の肥料を機体外部に排出するための排出口６５（図２Ａおよび図２Ｂ参照）を備えている。また、施肥装置６０には、排出口６５から排出される肥料を機体外部へ案内する案内部６６が設けられている。なお、案内部６６については、図２Ａおよび図２Ｂを用いて後述する。
【００４４】
また、フロアステップ８における操縦席１１よりも機体前側には、操縦部７０が設けられている。操縦部７０は、ボンネット７１と、表示部（メータパネル）７２と、ステアリングハンドル７３と、主変速操作部材７４と、植付操作部材７５と、フロントカバー７６とを備えている。
【００４５】
ボンネット７１は、フロアステップ８における操縦席１１よりも機体の前側かつ中央側に設けられている。ボンネット７１は、フロアステップ８の床面から上方へ突出している。ボンネット７１は、例えば、充放電可能なバッテリー、主変速操作部材７４や植付操作部材７５などの伝動機構、走行車体２の旋回時に植付操作部材７５を「植付下げ」に切り替えるモータ、主変速操作部材７４や植付操作部材７５の角度を検知するポテンショメータ、などの機器を有している。なお、ボンネット７１の前部には、例えば、バッテリーの交換時などに、作業者が作業するための空間が形成されている。
【００４６】
表示部であるメータパネル７２は、ボンネット７１の上部に設けられている。メータパネル７２は、操縦席１１に着席した作業者と対面するように、後下がり傾斜面となっている。メータパネル７２は、例えば、左右一対の線引きマーカ（図示省略）が圃場に出ていることを検知するマーカセンサ、植付操作部材（植付レバー）７５が「植える」の位置にあるなど、植付操作部材７５の操作位置を検知する植付レバー位置センサ１２１（図６参照）、貯留ホッパ６１内の肥料が所定量を下回ったことを検知する肥料切れセンサ、貯留ホッパ６１から圃場に肥料を導入する経路が詰まったことを検知する肥料詰まりセンサ、などの各種センサを有している。
【００４７】
なお、上記したような各種センサによって検知する構成に代えて、モニタを用いて報知する構成としてもよい。この場合、各種モニタは、メータパネル７２の表面において、作業者から目視可能に配置されている。
【００４８】
ステアリングハンドル７３は、作業者に操作されることで、走行車体２を操舵するものである。ステアリングハンドル７３は、ボンネット７１の上方に設けられている。ステアリングハンドル７３は、左右方向において、ボンネット７１の中央側に位置している。ステアリングハンドル７３は、ボンネット７１内に配置された操作装置などを介して前輪３を転舵させる。
【００４９】
主変速操作部材７４は、主変速レバー（ＨＳＴレバーともいう）であり、走行車体２の前後進、および走行速度を変更するために操作するレバーである。主変速操作部材７４は、ボンネット７１の上部に設けられている。本実施形態における主変速操作部材７４は、例えば、ボンネット７１の左右方向における予備苗枠（図示省略）側に設けられている。主変速操作部材７４は、ボンネット７１の左側に設けられている。なお、主変速操作部材７４の上端位置は、ボンネット７１の上端位置と、ステアリングハンドル７３の上端位置との間にある。
【００５０】
植付操作部材（以下、植付レバーという）７５は、植付クラッチレバーであり、苗植付部３０を昇降させたり、苗植付部３０による苗の植え付けを開始、停止させるために操作するレバーである。植付レバー７５は、ボンネット７１の上部に設けられている。本実施形態における植付レバー７５は、例えば、ボンネット７１の左右方向におけるブレーキペダル１８側に設けられている。なお、植付レバー７５の上端位置は、主変速操作部材７４の上端位置と同等の高さにある。
【００５１】
フロントカバー７６は、ボンネット７１の前部に設けられるカバー部材であるとともに、ボンネット７１の前部に形成された空間を覆うカバー部材である。フロントカバー７６は、機体の後側から前側へ向かうにしたがって、左右方向における幅、および上下方向における幅のそれぞれが狭くなる。フロントカバー７６は、機体の上側、後側かつ外側に位置する支持部まわりに回動可能に、ボンネット７１に支持されている。
【００５２】
次に、図２Ａおよび図２Ｂを参照して施肥装置６０における肥料の案内部６６について説明する。図２Ａおよび図２Ｂは、肥料の案内部６６の説明図である。なお、図２Ａには、施肥装置６０を左側面視で示し、図２Ｂには、施肥装置６０を背面視で示している。図２Ａおよび図２Ｂに示すように、走行車体２の後部、操縦席１１の機体後側に設けられた施肥装置６０には、貯留ホッパ６１の下方に肥料の排出口６５が設けられている。
【００５３】
排出口６５は、例えば左右方向に並んだ複数の貯留ホッパ６１ごとに設けられてもよい。すなわち、排出口６５は、左右方向に複数（例えば、４つ）並んで設けられてもよい。排出口６５は、走行車体２の後部において後方へ向けて開口している。また、排出口６５は、開閉可能に設けられている。
【００５４】
また、貯留ホッパ６１の下方には、貯留ホッパ６１から排出口６５へ向けて肥料が落下するように経路を切り替える切替部材であるシャッターレバー６７が設けられている。シャッターレバー６７は、貯留ホッパ６１内からの肥料の経路を、肥料繰出口６２へ向けた経路から排出口６５へ向けた経路に切り替える。
【００５５】
排出口６５には、排出口６５から排出される肥料を施肥装置６０の外部、すなわち、機体外部へ案内する案内部（以下、肥料案内部という）６６が取り付けられる。肥料案内部６６は、例えば、筒状のアミ６６１であり、一端開口が排出口６５を覆うように取り付けられ、他端開口が下方へ向けて開放されている。貯留ホッパ６１内の肥料を排出する場合には、肥料の経路を排出口６５側へ切り替えるようにシャッターレバー６７を操作することで、肥料案内部６６を介して肥料を排出する。
【００５６】
かかる構成によれば、肥料の排出口に肥料案内部６６（アミ６６１）を設けることで、貯留ホッパ６１内に残った肥料を外部に排出する場合に肥料が散らばるのを防止することができる。これにより、清掃やメンテナンスの作業性を向上させることができる。また、ブロアなどの送風手段を設けない安価な機体においても、清掃やメンテナンスの作業性を向上させることができる。
【００５７】
また、図２Ａに示すように、排出口６５には、肥料の排出作業を行わない場合に、排出口６５を封止するキャップ６８が設けられている。キャップ６８は、ヒンジなどを介して排出口６５を開閉可能に設けられてもよい。また、キャップ６８は、例えば、有底筒状に設けられ、肥料案内部６６がアミ６６１などの場合には、かかる肥料案内部６６を内部に収納する収納部として機能するようにしてもよい。これにより、肥料案内部６６（アミ６６１）の紛失を防止することができる。
【００５８】
かかる構成によれば、肥料案内部６６（アミ６６１）を所定の収納位置で収納可能とすることで、圃場における作業中にアミ６６１に水などが付着して肥料の排出時に肥料が詰まるなどの不具合を防止することができる。これにより、清掃やメンテナンスの作業性を向上させることができる。
【００５９】
なお、施肥装置６０では、肥料繰出口６２によって肥料を繰り出すために、施肥ロール６３を所定速度で回転させる。施肥ロール６３の回転には、エンジン６（図１Ａ参照）の動力を用いている。なお、図２Ａに示すように、エンジン６の動力がベルト６ａを介して入力プーリ６４に入力されることで、施肥ロール６３を回転させるようにしてもよい。
【００６０】
次に、図３〜図５を参照して肥料案内部６６の変形例について説明する。図３〜図５は、肥料の案内部（肥料案内部）６６の変形例１〜３の説明図である。まず、図３を用いて変形例１について説明する。なお、図３には、変形例１に係る肥料案内部６６Ａ（アミ６６２、ガイドレール６６３）の模式的な斜視を示している。図３に示すように、変形例１では、肥料案内部６６Ａとして、筒状のアミ６６２と、ガイドレール６６３とを備えている。
【００６１】
アミ６６２は、上端部に設けられた筒状の取付部６６２ａにガイドレール６６３を挿通させている。これにより、アミ６６２は、ガイドレール６６３に沿ってスライド移動する。ガイドレール６６３は、走行車体２（図１Ａおよび図１Ｂ参照）の後部において、左右方向に延在して設けられている。すなわち、アミ６６２は、ガイドレール６６３に沿って左右方向（図中、Ａ方向）にスライド移動可能に設けられている。
【００６２】
かかる構成によれば、肥料案内部６６Ａ（アミ６６２）を左右方向にスライド移動させることで、左右方向に並んだ複数の排出口６５に取り付ける作業を容易に行うことができる。これにより、肥料の排出作業性、すなわち、清掃やメンテナンスの作業性を向上させることができる。
【００６３】
次に、図４を用いて変形例２について説明する。なお、図４には、走行車体２および施肥装置６０の背面を示し、変形例２に係る肥料案内部６６Ｂ（集合ロート６６４、排出ホース６６５）を機体後方から見た状態を示している。図４に示すように、変形例２では、肥料案内部６６Ｂとして、集合ロート６６４と、排出ホース６６５とを備えている。
【００６４】
集合ロート６６４は、複数（例えば、２つ）の排出口６５から排出される肥料を１つに集約するものである。集合ロート６６４は、取付口６６４ａが各排出口６５に取り付けられ、１つの排出口６６４ｂから肥料を排出する。集合ロート６６４の排出口６６４ｂには、排出ホース６６５が取り付けられている。排出ホース６６５は、複数の排出口６５から排出されて集合ロート６６４によって集約された肥料を排出する。
【００６５】
かかる構成によれば、肥料案内部６６Ｂが複数の排出口６５から排出される肥料を集約することで、貯留ホッパ６１内に残った肥料を効率良く排出することができ、肥料の排出作業性を向上させることができる。これにより、清掃やメンテナンスの作業性を向上させることができる。
【００６６】
なお、貯留ホッパ６１内から肥料の経路を切り替える切替部材であるシャッターレバー６７を、複数の排出口６５を一括で開閉可能に構成してもよい。また、シャッターレバー６７を、各排出口６５のそれぞれに設けて、個別に切り替えるように構成してもよい。これにより、操作性を向上させることができるとともに、肥料の排出性を向上させることができる。
【００６７】
次に、図５を用いて変形例３について説明する。なお、図５には、変形例３に係る肥料案内部６６Ｃ（集合ロート６６４、保持部６６６）の模式的な斜視を示している。図５に示すように、変形例３では、肥料案内部６６Ｃとして、集合ロート６６４と、保持部６６６と、を備えている。なお、集合ロート６６４については、上記した変形例２に係る肥料案内部６６Ｂの集合ロート６６４と同じものであるため、同一の符号を付して説明を省略する。
【００６８】
保持部６６６は、例えばＬ型フックであり、１つまたは複数の排出口６５を挟むように、１つまたは複数の排出口６５の左右方向における外側に設けられている。図示の例では、２つの排出口６５を挟むように、２つの排出口６５の外側に設けられている。なお、保持部６６６は、例えば、走行車体２（図１Ａおよび図１Ｂ参照）の後部フレームなどに設けられている。
【００６９】
保持部６６６は、排出口６５から排出される肥料を収容する袋（以下、収容袋という）６９が有しているハトメなどの留め具６９ａを挿通することで、収容袋６９を、肥料の収容口を開放した状態で保持する。
【００７０】
かかる構成によれば、肥料を収容する収容袋６９を保持部６６６によって保持することで、肥料の排出作業を行いやすくなり、清掃やメンテナンスの作業性を向上させることができる。また、例えば、収容袋６９が自重で落ち切らない肥料を手作業で排出口６５から掻き出す場合に受皿の役割を果たすようになり、清掃やメンテナンスの作業性をさらに向上させることができる。
【００７１】
なお、上記し肥料案内部６６および変形例１〜３（肥料案内部６６Ａ〜６６Ｃ）を相互に組み合わせるようにしてもよい。この場合、例えば、変形例２および変形例３の集合ロート６６４を、ガイドレール６６３に沿って左右方向にスライド移動可能に構成してもよいし、例えば、変形例２のスライド移動可能なアミ６６２を、複数の排出口６５のうちの任意の排出口６５のキャップ（収納部）６８に収納可能に構成してもよい。
【００７２】
また、例えば、図１Ａに示すように、施肥装置６０から貯留ホッパ６１を取り外して、貯留ホッパ６１から肥料繰出口６２および排出口６５までの経路中にある施肥カプセル内に設けられた施肥ロール６３に残った肥料を排出する場合、所定の容積を有する有底筒状のキャップを排出口６５に取り付けて、排出口６５を開放して肥料を一時的にキャップに落とし込み、その後、キャップを外して収容袋６９（図５参照）などに肥料を排出するようにしてもよい。これにより、ブロアなどの送風手段を設けない安価な機体においても、施肥ロール６３上に残った肥料を容易に排出することができ、清掃やメンテナンスの作業性を向上させることができる。
【００７３】
次に、図６を参照して作業車両である苗移植機１の制御系について説明する。図６は、制御部１００ａのブロック図である。本実施形態に係る作業車両（苗移植機）１は、電子制御によって各部を制御することが可能であり、苗移植機１は、各部を制御する制御装置１００を備えている。制御装置１００は、走行車体２に設けられる制御部（コントローラともいう）１００ａと、着脱自在な情報処理端末１１０とを備えている。
【００７４】
いずれも、ＣＰＵ（Central  Processing  Unit）などを有する処理部や、ＲＯＭ（Read  Only  Memory）、ＲＡＭ（Random  Access  Memory）などの記憶部、さらには、入出力部が設けられ、これらは互いに接続されて互いに信号の受け渡しが可能である。また、記憶部には、苗移植機１を制御するコンピュータプログラムなどが格納される。
【００７５】
例えば、コントローラ１００ａは、深度センサ（超音波センサ）１２２や回動センサ、あるいは、位置情報取得装置として、ＧＰＳ（Global  Positioning  System）によって苗移植機１の位置情報を取得するＧＰＳ制御装置によって取得した情報に基づいて苗植付部３０や整地ロータ５０を昇降させるように自動昇降処理を行う。
【００７６】
情報処理端末１１０は、図示しないが、情報を表示する表示部と、各種の入力操作を行う操作部と、情報を記憶する記憶部とを備えている。このうち、表示部と操作部とは、別体で構成されてもよい。また、タッチパネル式のディスプレイによって一体で構成されたタブレット端末としてもよい。情報処理端末１１０は、他の作業車両、例えば、トラクタやコンバインなどにも着脱することができ、記憶された情報を作業車両間で共有することができる。
【００７７】
また、情報処理端末１１０は、画像認識プログラム、作業マップ作成プログラムなどが記憶部に記憶されており、ＧＰＳ制御装置で取得した位置情報、位置ごとの施肥量に関する情報および圃場の状況に関する情報などを記憶し、これらの情報に基づいた作業マップを作成し、作業マップを記憶することができる。
【００７８】
また、情報処理端末１１０は、作業者によって登録された情報などに基づいて作業マップを作成し、作業マップを登録することができる。なお、作業者により登録される情報は、例えば、圃場の状況に関する情報や、裏作で生育した作物に関する情報である。作物に関する情報には、施肥量に関する情報が含まれる。裏作で栽培した作物により、圃場の土の栄養分が異なるためである。例えば、裏作で豆類を栽培し、今回稲を栽培する場合には、施肥量が少なくなる。また、裏作で芋類を栽培し、今回稲を栽培する場合には、施肥量が多くなる。このように、作業マップに裏作で生育した作物に関する情報を登録し、作業マップに基づいて作業を行うことで、作物を安定して生育し、品質を安定化することができる。
【００７９】
このように、作業マップには、位置情報、過去に行った作業の経路など過去の作業に関する情報、位置ごとの施肥量に関する情報、作業者によって登録された情報、圃場の状況に関する情報などが含まれる。そして、情報処理端末１１０は、これらの情報を関連付けて記憶し、マップ化することで作業マップを作成する。情報処理端末１１０は、コントローラ１００ａと協働しながら苗植付部３０、整地ロータ５０、施肥装置６０の作動を制御することができる。
【００８０】
情報処理端末１１０は、記憶した作業マップを、例えば表示部であるメータパネル７２（図１Ｂ参照）に表示することができる。また、情報処理端末１１０は、作業者が必要とする情報のみを選択的にメータパネル７２に表示することができる。
【００８１】
また、コントローラ１００ａには、タブレット端末などの情報処理端末１１０に加えて、情報処理端末１１０とは別に機体に設けられ、施肥装置６０における各種施肥条件の設定を操作する操作部１１１が接続される。なお、かかる操作部１１１は、例えば、操縦席１１の周辺に設けられることが好ましい。
【００８２】
かかる構成によれば、タブレット端末などの情報処理端末１１０の故障時などのように各種施肥条件の設定が不能となった場合に、機体側の操作部１１１からの操作によって施肥作業を継続することができる。
【００８３】
また、図６に示すように、制御装置１００（コントローラ１００ａ）には、モータなどのアクチュエータ類や、ランプ、スピーカなどの報知部（ブザー）８１や、各部の情報を取得（検知）するセンサ類などが接続される。例えば、コントローラ１００ａには、深度センサ（超音波センサ）１２２を回動させる回動モータ、圃場に肥料を繰り出す施肥量調節モータを有する可変施肥機構８０などが接続される。なお、コントローラ１００ａに、エンジン６の排気を肥料を繰り出すための送風手段として用いる送風部（ブロア）８２が接続されてもよい。
【００８４】
また、コントローラ１００ａには、後述する施肥ホース９０に設けられる熱線９１の熱源となるヒータ９２が接続される。
【００８５】
また、コントローラ１００ａには、圃場の状況（例えば、圃場に水が有るか否か）に応じて、苗植付部（植付部）３０による苗の植え付け感度（油圧感度）を調整する植付感度調整機構８３が接続される。また、コントローラ１００ａには、油圧バルブのスプールを動作するモータによって駆動されて苗植付部３０を昇降駆動する油圧昇降シリンダ２４が接続される。また、コントローラ１００ａには、整地ロータ（整地部）５０を昇降駆動する電動モータ８４が接続される。
【００８６】
また、コントローラ１００ａには、苗植付部３０を左右回動させ、苗植付部３０の左右の傾きを修正可能なローリング機構などが接続される。なお、ローリング機構は、走行車体２の昇降リンク２１（図１Ａ参照）と苗植付部３０の植付フレームとの間に設けられ、走行車体２が前後方向に沿った軸心（図示省略）まわりに左右回動しても、苗植付部３０を水平状態に維持することができるものである。
【００８７】
また、コントローラ１００ａに接続されるセンサ類としては、肥料濃度センサ（通電センサ）１２３や深度センサ（超音波センサ）１２２の他、水温を検知する水温センサ、走行車体２の傾斜を検知する傾斜センサ（角度センサ）１２４、苗載置台３１に設けられ、載置される苗の重量を検知する重量センサ、苗植付部３０の上下回動量を検知する回動センサ、後輪回転センサ、および作業クラッチセンサなどが接続される。
【００８８】
肥料濃度センサ（通電センサ）１２３は、左右の前輪３のそれぞれに設けられ（図１Ａ参照）、左右の前輪３の間の肥料濃度を検知する。すなわち、通電センサ１２３は、環状の電極板で構成され、前輪３の機体内側または外側で、かつ土壌や水中に近い外周縁部付近に配置される。
【００８９】
深度センサ（超音波センサ）１２２は、取付軸などを介して走行車体２に回動自在となるように複数取り付けられている。超音波センサ１２２は、超音波の反射により水面、または土壌表面までの深さを測定するものであり、測定されたその場の深さがコントローラ１００ａに送信される。なお、超音波センサ１２２を、センターロータ５１、およびサイドロータ５２の後方などに設けてもよい。
【００９０】
また、深度センサである超音波センサ１２２は、圃場水面からの反射波を検知しているため、水面が高いほど反射時間は短くなり、コントローラ１００ａは深度が「深い」と判定する。しかし、水面と超音波センサ１２２との距離は、波などの影響を受けて変動するため、波などの影響を可及的に排除するために、例えば、０．０１秒ごとに２０個の検知値を取得し、その中で最大値と次に大きな値、および最小値と次に小さな値の４個を捨て、残りの１６個の検知値の平均を用いて深度を検知している。
【００９１】
水温センサは、肥料濃度センサである通電センサ１２３を構成する電極板に取り付けられ、水温を検知する。傾斜センサ（角度センサ）１２４は、走行車体２のピッチング、すなわち、上下方向への傾斜を検知する。なお、コントローラ１００ａは、傾斜センサ（角度センサ）１２４が検知する走行車体２の傾斜角度に合わせて深度センサである超音波センサ１２２が常時鉛直方向に向くように、回動モータを駆動して超音波センサ１２２を取付軸まわりに回動させる。
【００９２】
後輪回転センサは、後輪４の回転速度を検知することで、走行車体２の車速を検知する。作業クラッチセンサは、苗植付部３０に動力を伝達するクラッチ（図示省略）の接続状態を検知することで、苗植付部３０の作動を検知する。回動センサは、苗植付部３０を構成する苗植付装置４０に設けられ、センターフロート３２ａの上下動を検知する。回動センサは、センターフロート３２ａの前部の角度を、水平を基準として仰角側および伏角側に検知する。すなわち、回動センサは、圃場表土面の凹凸を検知するとともに、圃場の深度を検知する。
【００９３】
また、図６に示すように、コントローラ１００ａに接続されるセンサ類として、施肥装置６０に設けられた施肥ホース９０（図７参照）から散布される肥料の詰まりなどを防止するために、施肥装置６０における貯留ホッパ６１内の湿度を検知する湿度センサ１２０、植付操作部材（植付レバー）７５の操作位置を検知する植付レバー位置センサ１２１などが接続される。
【００９４】
次に、図７を参照して施肥装置６０についてさらに説明する。図７は、施肥ホース９０の説明図である。なお、図７には、作業車両（苗移植機）１の概略的な左側面を示している。図７に示すように、施肥装置６０は、貯留ホッパ６１内に、貯留ホッパ６１内の湿度を検知する湿度センサ（例えば、デジタル湿度計）１２０を備えている。また、施肥装置６０は、肥料繰出口６２に取り付けられる施肥ホース９０を備えている。
【００９５】
施肥ホース９０には、上記した制御部（コントローラ）１００ａ（図６参照）による温度制御が可能な熱線９１が設けられている。熱線９１は、金属線であり、例えば電気抵抗で発熱させるヒータ９２によって温度が上昇する。熱線９１は、施肥ホース９０の全長にわたって巻き付けられるように設けられている。コントローラ１００ａは、貯留ホッパ６１内の湿度センサ１２０の検知結果に基づいて、熱線９１の温度制御を行う。
【００９６】
ここで、図８を参照して、コントローラ１００ａによる熱線９１の温度上昇処理手順の一例を説明する。図８は、熱線９１の温度上昇処理手順の一例を示すフローチャートである。図８に示すように、コントローラ１００ａは、湿度センサ１２０が規定値以上を検知した場合、すなわち、貯留ホッパ６１内の湿度が規定湿度以上となった場合（ステップＳ１０１，Ｙｅｓ）に熱線９１の温度を上昇させる制御を行う（ステップＳ１０２）。
【００９７】
このように、熱線９１の温度を上昇させることで、施肥ホース９０の内部を温めることができる。なお、ステップＳ１０１において、湿度センサ１２０が規定値以上を検知しない場合（ステップＳ１０１，Ｎｏ）、すなわち、貯留ホッパ６１内の湿度が規定湿度以下である場合には、貯留ホッパ６１内の湿度が規定温度以上が検知されるまで湿度検知を繰り返すこととなる。
【００９８】
かかる構成によれば、貯留ホッパ６１内の湿度が規定値以上の場合には何らかの影響で肥料が濡れていることが考えられるため、肥料が施肥ホース９０の内部で詰まるおそれがあるが、熱線９１の温度を上昇させて施肥ホース９０を温めることで、かかる肥料詰まりを防止することができる。これにより、施肥作業性を向上させることができる。
【００９９】
なお、苗植付装置４０（図１Ａ参照）において苗を植え付ける作業と共に圃場の土壌面に機体の進行方向に沿って溝を形成する作溝機９３の金属部分に熱線９１を設けて、熱線９１の温度を上昇させる制御を行ってもよい。このように、作溝機９３の金属部分に熱線９１を設けて、熱線９１の温度を上昇させることで、作溝機９３の内部を乾かすことができる。これにより、作溝機９３の内部に濡れた肥料が付着することを防いで、作溝機９３の詰まりを防止することができる。
【０１００】
また、コントローラ１００ａは、湿度センサ１２０が規定値以上を検知した場合、すなわち、貯留ホッパ６１内の湿度が規定湿度以上となった場合に、熱線９１の温度を上昇させる制御に代えて、報知部であるブザー８１（図６参照）によってブザー音を発生させる制御を行ってもよい。これにより、作業者は、貯留ホッパ６１内の肥料が湿気を含んでいることを知ることができ、湿気を含んだ肥料を取り除くなどして施肥不良を回避することができる。なお、コントローラ１００ａは、熱線９１の温度を上昇させる制御とあわせて、ブザー音を発生させる制御を行ってもよい。
【０１０１】
また、コントローラ１００ａは、植付レバー位置センサ１２１（図６参照）からの検知結果が「植付入り」の場合に、ブザー８１によるブザー音を発生させる制御を行ってもよい。これにより、必要以上にブザー音を発生させることを防止することができる。
【０１０２】
また、例えば、苗移植機１がブロアなどの送風部８２（図６参照）を備える場合、送風部８２の内部に例えば伝熱線を設け、コントローラ１００ａは、貯留ホッパ６１内の湿度が規定湿度以上となった場合に伝熱線の温度を上昇させるように構成してもよい。これにより、圃場に散布する肥料から湿気を取り除くことができ、肥料詰まりなどの施肥不良を防止することができる。
【０１０３】
また、コントローラ１００ａは、植付レバー位置センサ１２１（図６参照）からの検知結果が「植付入り」の場合に、伝熱線の温度を上昇させるように構成してもよい。このように、正常な場合、すなわち、肥料が規定湿度以下である場合には温風にしないことで、節電が可能となる。
【０１０４】
また、図６に戻り、コントローラ１００ａは、深度センサである超音波センサ１２２および肥料濃度センサである通電センサ１２３の各検知結果に基づいて、植付感度調整機構８３、整地ロータ５０および苗植付部３０のそれぞれの制御を行う。また、コントローラ１００ａは、圃場内に水が無い、あるいは圃場内に水が有りかつ水面の波が高いことを判定して、各部の制御を行う。
【０１０５】
ここで、図９を参照して、コントローラ１００ａによる圃場の状況（圃場に水が無い、あるいは圃場の水面の波が高いなど）に応じた作業設定変更処理手順の一例を説明する。図９は、作業設定変更処理手順の一例を示すフローチャートである。
【０１０６】
図９に示すように、コントローラ１００ａは、超音波センサ１２２および通電センサ１２３によって圃場内に水が有ることが検知され（ステップＳ２０１，Ｙｅｓ）、超音波センサ１２２によって圃場内の波が規定高さ以内であることが検知されると（ステップＳ２０２，Ｙｅｓ）、植付感度調整機構８３、整地ロータ５０および苗植付部３０についてはそれぞれ通常の植え付け制御を行う。
【０１０７】
図９に示すように、コントローラ１００ａは、ステップＳ２０１において圃場に水が無い、あるいは水が規定量よりも少ないと検知されると（ステップＳ２０１，Ｎｏ）、植付感度調整機構８３、整地ロータ５０および苗植付部３０について作業設定を変更する制御を行う（ステップＳ２０３）。
【０１０８】
コントローラ１００ａは、圃場内に水が無いことが検知されると、植付感度調整機構８３について油圧感度（植え付け感度）を「硬（鈍い）」に変更する。また、コントローラ１００ａは、圃場内に水が無いことが検知されると、整地ロータ５０については整地ロータ５０をより効かせるために、電動モータ８４を駆動制御して整地ロータ５０を下降させる制御を行う。また、コントローラ１００ａは、圃場内に水が無いことが検知されると、苗植付部３０については苗を深植えするために、油圧昇降シリンダ２４を駆動制御して苗植付部３０を下降させる制御を行う。なお、コントローラ１００ａは、植付感度調整機構８３、整地ロータ５０および苗植付部３０のうち少なくとも１つの制御を行ってもよい。また、例えば、超音波センサ１２２だけで圃場内の水の有無を検知してもよい。
【０１０９】
かかる構成によれば、圃場内に水が無い場合に、植付感度調整機構８３の植え付け感度を鈍くすることで、苗の植付性を向上させることができる。また、圃場内に水が無い場合に、整地ロータ５０を下降することで、圃場内に水が入っても植え付けた苗を浮き上がりにくくすることができる。また、圃場内に水が無い場合に、苗植付部３０を下降することで、圃場内に水が入っても植え付けた苗を浮き上がりにくくすることができる。
【０１１０】
また、図９に示すように、コントローラ１００ａは、ステップＳ２０２において圃場の水面の波が規定高さ以内であることが検知されないと（ステップＳ２０２，Ｎｏ）、すなわち、波の高さが規定高さを超えると、植付感度調整機構８３および整地ロータ５０について作業設定を変更する制御を行う（ステップＳ２０４）。
【０１１１】
コントローラ１００ａは、圃場内の波が高いことが検知されると、植付感度調整機構８３について油圧感度（植え付け感度）を「硬（鈍い）」に変更する。また、コントローラ１００ａは、圃場内の波が高いことが検知されると、整地ロータ５０を収納する。
【０１１２】
かかる構成によれば、圃場内の波が高い場合に、植付感度調整機構８３の植え付け感度を鈍くすることで、苗の植付性を向上させることができる。また、圃場内の波が高い場合に、整地ロータ５０を収納することで、整地ロータ５０による水押しを防止することができる。
【０１１３】
なお、苗移植機１（走行車体２）が前上がりで走行するような深い圃場の場合には、超音波センサ１２２による検知に誤差が生じて実際の深さよりも浅い場合がある。このため、図６に示すように、走行車体２の傾きを検知する傾斜センサである角度センサ１２４の検知結果を組み合わせて圃場の深さを補正してもよい。
【０１１４】
また、マシンツーマシンのような１つの圃場内において苗移植機１を含む複数の機体が作業する場合には、複数の機体の車速けん制の条件をそろえることで、各機体の車速のばらつきを抑えることができる。
【０１１５】
また、コントローラ１００ａは、上記した機体側の操作部１１１を含めて機体側の所定のスイッチ類が操作された場合に、作業者がタブレット端末などの情報処理端末１１０で行っていた各種施肥条件の設定を変更可能とするモード（可変施肥モード）へ移行するように制御してもよい。これにより、タブレット端末などの情報処理端末１１０が故障するなどして端末からの設定操作が不能となっても、施肥作業を継続可能となる。
【０１１６】
なお、可変施肥モードへ移行する条件としては、例えば、作業者によって、走行車体２（図１Ａおよび図１Ｂ参照）の停車ペダルが踏まれ、かつ、機体の旋回制御の作動を入切する旋回制御入切スイッチおよび左右のマーカを自動制御するオートマーカスイッチが同時に数秒（例えば、２秒）以上押された場合などとしてもよい。
【０１１７】
なお、可変施肥モードに移行した後の実行例１としては、表示部であるメータパネル７２（図１Ｂ参照）に、例えば「Ｆ１・・＊＊．＊（現在の施肥設定値［ｋｇ／１０ａ］）」などとセグメント表示される。この場合、旋回制御入切スイッチが押されるたびに表示される数字が大きくなるようにしてもよい。また、この場合、オートマーカスイッチが数秒（２秒）以上長押しされると、ブザー音が発生するとともに、上記施肥設定値をコントローラ１００ａ（図６参照）の記憶部などに記憶するようにしてもよい。なお、施肥設定値が記憶されると、メータパネル７２が通常施肥制御の表示に戻り、以降の可変施肥制御は行わない。
【０１１８】
また、可変施肥モードに移行した後の実行例２としては、表示部であるメータパネル７２に、例えば「Ｆ２・・＊．＊＊（現在の比重設定値）」などとセグメント表示される。この場合も、旋回制御入切スイッチが押されるたびに表示される数字が大きくなるようにしてもよい。また、オートマーカスイッチが数秒（２秒）以上長押しされると、ブザー音が発生するとともに、上記比重設定値をコントローラ１００ａの記憶部などに記憶するようにしてもよい。なお、比重設定値が記憶されると、メータパネル７２が通常施肥制御の表示に戻り、以降の可変施肥制御は行わない。
【０１１９】
以上説明したような可変施肥モードに移行可能に構成することで、タブレット端末などの情報処理端末１１０が故障するなどして端末からの設定操作が不能となっても、施肥作業を継続することができる。
【０１２０】
なお、上記したような可変施肥モードの２つの実行例では、施肥設定値および（肥料の）比重設定値を変更可能であるが、これらの項目以外の項目について値などを変更可能に構成してもよい。項目については、例えば、施肥設定モード、減肥率、手動ティーチングの開始および終了、苗植え付けの開始および終了などがある。これにより、タブレット端末などの情報処理端末１１０が故障するなどして端末からの設定操作が不能となっても、施肥作業を継続することができる。
【０１２１】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【０１２２】
１    作業車両（苗移植機）
２    走行車体
３    前輪
４    後輪
５    メインフレーム
６    エンジン
７    動力伝達装置
８    フロアステップ
９    リヤステップ
１０    エンジンカバー
１１    操縦席
１２    ベルト式動力伝達装置
１３    油圧式無段変速機
１４    ミッションケース
１５    前輪ファイナルケース
１６    後輪ギヤケース
１８    ブレーキペダル
２０    苗植付部昇降機構
２１    昇降リンク
２２    平行リンク機構
２３    リンクフレームベース
２４    油圧昇降シリンダ
３０    植付部（苗植付部）
３１    苗載置台
３１ａ  苗載せ面
３２    フロート
３２ａ  センターフロート
３２ｂ  サイドフロート
３３    植付支持フレーム
４０    苗植付装置
４１    植込杆
４２    ロータリーケース
４３    植付伝動ケース
５０    整地部（整地ロータ）
５１    センターロータ
５２    サイドロータ
５３    電動機構
５４    伝動軸
６０    施肥装置
６１    ホッパ（貯留ホッパ）
６２    肥料繰出口
６３    施肥ロール
６４    入力プーリ
６５    排出口
６６    案内部（肥料案内部）
６６１    アミ
６６２    アミ
６６３    ガイドレール
６６４    集合ロート
６６４ａ  取付口
６６４ｂ  排出口
６６５    排出ホース
６６６    保持部
６７    切替部材（シャッターレバー）
６８    収納部（キャップ）
６９    袋（収容袋）
６９ａ  留め具
７０    操縦部
７１    ボンネット
７２    表示部（メータパネル）
７３    ステアリングハンドル
７４    主変速操作部材
７５    植付操作部材（植付レバー）
７６    フロントカバー
８０    可変施肥機構
８１    報知部（ブザー）
８２    送風部（ブロア）
８３    植付感度調整機構
８４    電動モータ
９０    施肥ホース
９１    熱線
９２    ヒータ
９３    作溝機
１００    制御装置
１００ａ  制御部（コントローラ）
１１０    情報処理端末（タブレット端末）
１１１    操作部
１２０    湿度センサ
１２１    植付レバー位置センサ
１２２    超音波センサ
１２３    通電センサ
１２４    角度センサ
【図１Ａ】
2018068144.tif 000003
【図１Ｂ】
2018068144.tif 000004
【図２Ａ】
2018068144.tif 000005
【図２Ｂ】
2018068144.tif 000006
【図３】
2018068144.tif 000007
【図４】
2018068144.tif 000008
【図５】
2018068144.tif 000009
【図６】
2018068144.tif 000010
【図７】
2018068144.tif 000011
【図８】
2018068144.tif 000012
【図９】
2018068144.tif 000013